(57)【要約】  この発明は、ＥＧＲ量が過剰となることを抑制し、燃焼の不安定化を抑制することのできる内燃機関の制御装置を提供することを目的とする。  まず、運転条件の変化に応じて、ＥＧＲ量に影響する複数のアクチュエータの動作量を設定する。そして、前記複数のアクチュエータの動作量が設定された場合に、ＥＧＲ量（外部ＥＧＲ量及び内部ＥＧＲ量の少なくとも一方をいう。以下同じ。）を減少させるアクチュエータの動作を開始させた後（Ｓ１４０）、ＥＧＲ量を増加させる他のアクチュエータの動作を開始させる（Ｓ１５０）。
2012157108.tif 000002
【特許請求の範囲】
【請求項１】
運転条件の変化に応じて、ＥＧＲ量に影響する複数のアクチュエータの動作量を設定する設定手段と、
前記複数のアクチュエータの動作量が設定された場合に、ＥＧＲ量（外部ＥＧＲ量及び内部ＥＧＲ量の少なくとも一方をいう。以下同じ。）を減少させるアクチュエータの動作を開始させた後、ＥＧＲ量を増加させる他のアクチュエータの動作を開始させるアクチュエータ順次制御手段と、
を備えることを特徴とする内燃機関の制御装置。
【請求項２】
前記アクチュエータ順次制御手段は、前記複数のアクチュエータの動作量が設定された場合に、ＥＧＲ量を減少させるアクチュエータの動作を完了させた後、ＥＧＲ量を増加させるアクチュエータの動作を開始させること、
を特徴とする請求項１記載の内燃機関の制御装置。
【請求項３】
前記設定された複数のアクチュエータの動作量に応じて、前記複数のアクチュエータの動作が同時に開始した場合のＥＧＲ量の変化過程を推定する推定手段と、
前記変化過程においてＥＧＲ量が許容値よりも大きくなる場合に判定条件が成立する判定手段と、
前記判定条件が成立しない場合に、前記複数のアクチュエータの動作を同時に開始させるアクチュエータ同時制御手段と、を更に備え、
前記アクチュエータ順次制御手段は、前記判定条件が成立する場合に、ＥＧＲ量を減少させるアクチュエータの動作を完了させた後、ＥＧＲ量を増加させるアクチュエータの動作を開始させること、
を特徴とする請求項２記載の内燃機関の制御装置。
【請求項４】
前記複数のアクチュエータは、少なくとも、
前記内燃機関の排気通路に配置された過給機の上流と下流とをバイパスするバイパス通路を任意に開閉可能なウェイストゲートバルブと、
前記過給機の上流の前記排気通路と前記内燃機関の吸気通路とを接続するＥＧＲ通路を任意に開閉可能なＥＧＲバルブと、
前記吸気通路を任意に開閉可能なスロットルと、を含むこと、
を特徴とする請求項１乃至３のいずれか１項記載の内燃機関の制御装置。
【発明の詳細な説明】
【技術分野】
【０００１】
この発明は、内燃機関の制御装置に係り、特に、車両に搭載される内燃機関の制御を実行するのに好適な内燃機関の制御装置に関する。
【背景技術】
【０００２】
従来、例えば特許文献１（日本特開２０００−１１０６２８号公報）に開示されるように、過給機と排気ガス再循環装置（以下、単にＥＧＲ（Exhaust Gas Recirculation）装置という。）が取り付けられた内燃機関が知られている。また、本公報には、吸入空気量や過給効率に基づいて、ＥＧＲ弁を制御する内燃機関の制御装置が開示されている。
【先行技術文献】
【特許文献】
【０００３】
【特許文献１】日本特開２０００−１１０６２８号公報
【特許文献２】日本特開２００１−０２０７９３号公報
【発明の概要】
【発明が解決しようとする課題】
【０００４】
上述した内燃機関では、運転条件に応じた目標ＥＧＲ量（ＥＧＲ率）を満たすように複数のアクチュエータの動作量が設定される。しかしながら、アクチュエータ毎にＥＧＲ量変化に対する応答性は異なる。そのため、応答性の高いアクチュエータによるＥＧＲ量増加制御と、応答性の低いアクチュエータによるＥＧＲ量減少制御とを同時に行った場合、ＥＧＲ量が一時的に目標ＥＧＲ量よりも高くなる（オーバーシュートする）。ＥＧＲ量が一時的に過剰となれば、燃焼が不安定となり失火等が発生する要因となる。【０００５】
この発明は、上述のような課題を解決するためになされたもので、ＥＧＲ量が過剰となることを抑制し、燃焼の不安定化を抑制することのできる内燃機関の制御装置を提供することを目的とする。
【課題を解決するための手段】
【０００６】
第１の発明は、上記の目的を達成するため、内燃機関の制御装置であって、
運転条件の変化に応じて、ＥＧＲ量に影響する複数のアクチュエータの動作量を設定する設定手段と、
前記複数のアクチュエータの動作量が設定された場合に、ＥＧＲ量（外部ＥＧＲ量及び内部ＥＧＲ量の少なくとも一方をいう。以下同じ。）を減少させるアクチュエータの動作を開始させた後、ＥＧＲ量を増加させる他のアクチュエータの動作を開始させるアクチュエータ順次制御手段と、を備えることを特徴とする。【０００７】
また、第２の発明は、第１の発明において、
前記アクチュエータ順次制御手段は、前記複数のアクチュエータの動作量が設定された場合に、ＥＧＲ量を減少させるアクチュエータの動作を完了させた後、ＥＧＲ量を増加させるアクチュエータの動作を開始させること、を特徴とする。【０００８】
また、第３の発明は、第２の発明において、
前記設定された複数のアクチュエータの動作量に応じて、前記複数のアクチュエータの動作が同時に開始した場合のＥＧＲ量の変化過程を推定する推定手段と、
前記変化過程においてＥＧＲ量が許容値よりも大きくなる場合に判定条件が成立する判定手段と、
前記判定条件が成立しない場合に、前記複数のアクチュエータの動作を同時に開始させるアクチュエータ同時制御手段と、を更に備え、
前記アクチュエータ順次制御手段は、前記判定条件が成立する場合に、ＥＧＲ量を減少させるアクチュエータの動作を完了させた後、ＥＧＲ量を増加させるアクチュエータの動作を開始させること、を特徴とする。【０００９】
また、第４の発明は、第１乃至第３の発明において、
前記複数のアクチュエータは、少なくとも、
前記内燃機関の排気通路に配置された過給機の上流と下流とをバイパスするバイパス通路を任意に開閉可能なウェイストゲートバルブと、
前記過給機の上流の前記排気通路と前記内燃機関の吸気通路とを接続するＥＧＲ通路を任意に開閉可能なＥＧＲバルブと、
前記吸気通路を任意に開閉可能なスロットルと、を含むことを特徴とする。
【発明の効果】
【００１０】
第１の発明によれば、複数のアクチュエータの動作量が設定された場合に、ＥＧＲ量を減少させるアクチュエータの動作を開始させた後、ＥＧＲ量を増加させる他のアクチュエータの動作を開始させる。このため、本発明によれば、ＥＧＲ量が過剰となることを抑制し、燃焼の不安定化を抑制することができる。【００１１】
第２の発明によれば、複数のアクチュエータの動作量が設定された場合に、ＥＧＲ量を減少させるアクチュエータの動作を完了させた後、ＥＧＲ量を増加させるアクチュエータの動作を開始させる。このため、本発明によれば、ＥＧＲ量が過剰となることなく、ＥＧＲ量を目標ＥＧＲ量に制御することができる。【００１２】
第３の発明によれば、変化過程におけるＥＧＲ量が許容値以下である場合には、複数のアクチュエータの動作を同時に開始させる。そのため、ＥＧＲ量が過剰となることなく、ＥＧＲ量を早期に目標ＥＧＲ量に制御することができる。また、変化過程におけるＥＧＲ量が許容値よりも大きい場合には、ＥＧＲ量を減少させるアクチュエータの動作を完了させた後、ＥＧＲ量を増加させるアクチュエータの動作を開始させる。そのため、ＥＧＲ量が過剰となることを抑制し、燃焼の不安定化を抑制することができる。このため、本発明によれば、ＥＧＲ量の制御性と、燃焼安定性とを両立することができる。【００１３】
第４の発明によれば、ウェイストゲートバルブ、ＥＧＲバルブ、スロットルを協調制御することができる。
【図面の簡単な説明】
【００１４】
【図１】本発明の実施の形態１のシステム構成を説明するための図である。
【図２】運転条件に応じて、複数のアクチュエータが動作する場合におけるＥＧＲ量の変化を示す図である。
【図３】各種アクチュエータの動作速度と動作によるＥＧＲ量への影響を説明するための図である。
【図４】本発明の実施の形態１において、ＥＣＵ５０が実行する制御ルーチンのフローチャートである。
【発明を実施するための形態】
【００１５】
以下、図面を参照して本発明の実施の形態について詳細に説明する。尚、各図において共通する要素には、同一の符号を付して重複する説明を省略する。
【００１６】
実施の形態１．
［実施の形態１のシステム構成］
図１は、本発明の実施の形態１のシステム構成を説明するための図である。図１に示すシステムは、内燃機関１０を備えている。内燃機関１０は、車両等に搭載され、その動力源とされる４サイクルエンジンである。図１に示す内燃機関１０は、直列４気筒型であるが、本発明では、気筒数および気筒配置はこれに限定されるものではない。
【００１７】
内燃機関１０の各気筒には、燃料を筒内に直接噴射するインジェクタ１２が設けられている。なお、本発明は、このような筒内噴射式の内燃機関に限らず、吸気ポート内に燃料をポート噴射するポートインジェクタを備えたポート噴射式の内燃機関や、インジェクタ１２とポートインジェクタとを併用する内燃機関にも同様に適用可能である。
【００１８】
内燃機関１０の各気筒には、吸気通路１６および排気通路１８が接続されている。吸気通路１６の下流端には、気筒内と吸気通路１６との間を開閉する吸気バルブ２０が設けられている。同様に、排気通路１８の上流端には、気筒内と排気通路１８との間を開閉する排気バルブ２２が設けられている。
【００１９】
内燃機関１０の各気筒から排出される排気ガスは、排気通路１８に流入する。内燃機関１０は、排気ガスのエネルギーによって過給を行うターボチャージャ２４を備えている。ターボチャージャ２４は、排気ガスのエネルギーによって回転するタービン２４ａと、タービン２４ａに駆動されて回転するコンプレッサ２４ｂとを有している。タービン２４ａは、排気通路１８の途中に配置されており、コンプレッサ２４ｂは、吸気通路１６の途中に設けられている。
【００２０】
タービン２４ａ上流の排気通路１８は、外部ＥＧＲ通路２６により吸気通路１６に接続されている。外部ＥＧＲ通路２６の途中には、ＥＧＲクーラ２８が設けられている。ＥＧＲクーラ２８の下流には、外部ＥＧＲ通路２６を任意に開閉可能な電子制御式のＥＧＲバルブ３０が設けられている。
【００２１】
タービン２４ａの近傍には、タービン２４ａの入口付近の排気通路１８と、タービン２４ａの出口付近の排気通路１８とを接続するバイパス通路３２が設けられている。バイパス通路３２には、バイパス通路３２を任意に開閉可能な電子制御式のウェイストゲートバルブ（以下、ＷＧＶ（Waste Gate Valve）という。）３４が設けられている。
【００２２】
タービン２４ａ下流の排気通路１８には、排気ガス中の有害成分を浄化する触媒３６が設けられている。触媒３６には、例えば、三元触媒などが用いられる。
【００２３】
吸気通路１６の入口付近には、エアクリーナ３８が設けられている。また、エアクリーナ３８の下流近傍には、吸入空気量を検出するエアフローメータ４０が設けられている。エアフローメータ４０の下流には、コンプレッサ２４ｂが設けられている。コンプレッサ２４ｂの下流には、インタークーラ４２が設けられている。
【００２４】
エアクリーナ３８を通って吸入された新気は、ターボチャージャ２４のコンプレッサ２４ｂで圧縮された後、インタークーラ４２で冷却される。インタークーラ４２の下流には、電子制御式のスロットルバルブ４４が設けられている。スロットルバルブ４４を通過した新気は、吸気通路１６下流部に形成されたサージタンク４６に流入される。サージタンク４６に流入された新気は、各気筒内に分配されて流入される。サージタンク４６には、その部位での吸気圧力を検出する吸気圧力センサ４８が設けられている。
【００２５】
本実施形態のシステムは、ＥＣＵ（Electronic Control Unit）５０を更に備えている。ＥＣＵ５０の入力部には、上述したエアフローメータ４０、吸気圧力センサ４８の他、クランク角度を検出するクランク角センサ５２、運転者に操作されるアクセルの踏み込み量に応じた値を検出するアクセル開度センサ５４等の内燃機関１０の運転状態を検出するための各種センサが接続されている。
【００２６】
また、ＥＣＵ５０の出力部には、上述したインジェクタ１２、ＥＧＲバルブ３０、ＷＧＶ３４、スロットルバルブ４４の他、吸気バルブ２０のバルブタイミングやリフト量を変更することができる可変動弁装置（以下、吸気ＶＶＴという。）５６、排気バルブ２２のバルブタイミングを変更することができる可変動弁装置（以下、排気ＶＶＴという。）５８等の内燃機関１０の運転状態を制御するための各種アクチュエータが接続されている。吸気ＶＶＴ５６および排気ＶＶＴ５８には、油圧によりバルブタイミングやリフト量を変更可能な公知の機構が用いられる。ＥＣＵ５０は、上述した各種センサの出力に基づき、所定のプログラムに従って各種アクチュエータを作動させることにより、内燃機関１０の運転状態を制御する。
【００２７】
ＥＣＵ５０は、運転条件に応じて目標ＥＧＲ量（外部ＥＧＲ通路２６を介して吸気通路１６に導入すべき排気ガスの量、ひいては燃焼室に供給すべき排気ガスの量）を算出する。目標ＥＧＲ量は、例えばエンジン回転数と負荷率に基づいて算出される。また、ＥＣＵ５０は、目標ＥＧＲ量を実現するために、上述した各種アクチュエータの動作量を算出する。ところで、上述した各種アクチュエータは、アクチュエータ毎に動作速度やＥＧＲ量に及ぼす影響が異なる。そのため、動作速度の早いアクチュエータによるＥＧＲ量増加制御と、動作速度の遅いアクチュエータによるＥＧＲ量減少制御とを同時に行った場合、一時的にＥＧＲ量が過多となる（オーバーシュートする）。一時的にＥＧＲ量が過多となれば、燃焼が不安定となり、失火等が発生する要因となる。
【００２８】
図２を用いて具体的な例を説明する。図２は、運転条件に応じて、複数のアクチュエータが動作する場合におけるＥＧＲ量の変化を示す図である。実線６０は出力要求を、実線６２はＥＧＲバルブ３０の開度を、実線６４はＷＧＶ３４の開度を、実線６６はスロットルバルブ４４の開度を、実線６８は外部ＥＧＲ量をそれぞれ示している。
【００２９】
時刻ｔ０において、実線６０で示すように出力要求が大きい運転条件から小さい運転条件に変化すると、運転状態は定常運転から過渡運転に変化する。ＥＣＵ５０は、運転条件の変化に応じて目標ＥＧＲ量を算出し、これを満たす各種アクチュエータの制御量を決定する。図２に示す例では、ＥＧＲバルブ３０は開度が減少する方向に制御され（実線６２）、ＷＧＶ３４は閉じ状態から開き状態へ制御され（実線６４）、スロットルバルブ４４は開度が減少する方向に制御される（実線６６）。ここで、ＥＧＲバルブ３０およびＷＧＶ３４への制御は、ＥＧＲ量を減少させる制御である。スロットルバルブ４４への制御は、ＥＧＲ量を増加させる制御である。
【００３０】
一般的に、スロットルバルブ４４の動作速度は、ＥＧＲバルブ３０やＷＧＶ３４の動作速度よりも早い。そのため、時刻ｔ１においてスロットルバルブ４４の動作は完了しているが、ＥＧＲバルブ３０とＷＧＶ３４の動作は完了していない。そのため、実線６８に示すように、外部ＥＧＲ量が一時的に過多となる場合がある。ＥＧＲ量が過多となれば、燃焼安定性が損なわれる。このような課題を解決するには、過渡運転時の外部ＥＧＲ量が定常運転時よりも小量となるように各アクチュエータを動作させることが望ましい。
【００３１】
［実施の形態１における特徴的制御］
そこで、本実施形態のシステムでは、ＥＧＲ量が減少する方向に制御される動作速度の遅いアクチュエータの動作順番を早く、ＥＧＲ量が増大する方向に制御される動作速度の速いアクチュエータの動作順番を遅くすることとする。
【００３２】
（各種アクチュエータの動作速度と、動作によるＥＧＲ量への影響）
各種アクチュエータの動作順番を定めるにあたり、各種アクチュエータの動作速度と動作によるＥＧＲ量への影響について図３を用いて説明する。（ａ）ＥＧＲバルブ３０は、スロットルバルブ４４やＷＧＶ３４等に比して動作速度が遅い。また、バルブ開度が増加するほどＥＧＲ量は増加し、バルブ開度が減少するほどＥＧＲ量は減少する。（ｂ）ＷＧＶ３４は、開弁によるＥＧＲ量への影響が早く、閉弁によるＥＧＲ量への影響が遅い。また、バルブ開度が減少するほどＥＧＲ量は増加し、バルブ開度が増加するほどＥＧＲ量は減少する。（ｃ）吸気ＶＶＴ５６は油圧により動作速度が変化する。また、吸気バルブ２０のバルブタイミングを中間位置（基準位置）に近づけるほどＥＧＲ量は増加し、中間位置から進角又は遅角させるほどＥＧＲ量は減少する。（ｄ）排気ＶＶＴ５８は油圧により動作速度が変化する。また、排気バルブ２２のバルブタイミングを中間位置（基準位置）に近づけるほどＥＧＲ量は増加し、中間位置から進角又は遅角させるほどＥＧＲ量は減少する。（ｅ）吸気バルブ２０の作用角は、ＥＧＲバルブ３０等に比して動作速度が早い。また、作用角が増加するほどＥＧＲ量は増加し、作用角が減少するほどＥＧＲ量は減少する。（ｆ）スロットルバルブ４４は、ＥＧＲバルブ３０やＷＧＶ３４等に比して動作速度が早い。また、バルブ開度が減少するほどＥＧＲ量は増加し、バルブ開度が増加するほどＥＧＲ量は減少する。
【００３３】
このようなアクチュエータの特性に基づいて、ＥＣＵ５０には、ＥＧＲ量が減少する方向に制御される動作速度の遅いアクチュエータの動作順番を、ＥＧＲ量が増大する方向に制御される動作速度の速いアクチュエータの動作順番よりも優先できるように優先順番が予め設定されている。
【００３４】
ところで、上述のようなアクチュエータの動作制限は、ＥＧＲ量がオーバーシュートしない場合には必要がない。そのため、複数のアクチュエータを同時に動作させた場合に、ＥＧＲ量がオーバーシュートすると推定される場合にのみ実行することが望ましい。そこで、本実施形態のシステムでは、運転条件の変化に応じたＥＧＲ量の変化過程を推定し、過渡的なＥＧＲ量変化が許容できない場合に、ＥＧＲ量を増大させるアクチュエータの動作に制限を加えることとする。
【００３５】
（ＥＧＲ量の変化過程の推定方法）
ここで、ＥＧＲ量の変化過程の推定方法について説明する。ＥＧＲ量の変化過程は、過渡運転中の各時刻におけるＥＧＲガス流量から推定することができる。ＥＧＲガス流量は（１）式に基づいて算出することができる。（１）式において、ＧｅｇｒはＥＧＲガス流量の相関値を、ΔＰはＥＧＲバルブ３０の前後差圧を、ＳｅｇｒはＥＧＲバルブ３０の通路面積を意味する。
Ｇｅｇｒ＝ΔＰ×Ｓｅｇｒ                                    …（１）
【００３６】
ＥＧＲバルブ３０の前後差圧ΔＰは、背圧（タービン２４ａ上流の排気圧力）Ｐｅｘと吸気圧Ｐｉｎは吸気圧Ｓｅｇｒとの差で表せる。そのため、ＥＧＲガス流量の相関値Ｇｅｇｒは（２）式に基づいて算出することができる。
Ｇｅｇｒ＝（Ｐｅｘ−Ｐｉｎ）×Ｓｅｇｒ                          …（２）
【００３７】
（２）式の背圧Ｐｅｘは、外部ＥＧＲなし時の背圧であり予め記憶されたマップから取得される。具体的には、ＥＣＵ５０には、ＷＧＶ３４の開閉条件毎にエンジン回転数と負荷率と背圧Ｐｅｘとの関係を定めたマップが予め記憶されている。エンジン回転数はクランク角センサ５２の検出値から算出される。負荷率は、例えば吸入空気量や吸気圧等に基づいて算出される。ＥＣＵ５０は、ＷＧＶ３４の開閉条件とエンジン回転数と負荷率とを入力パラメータとして、マップから背圧Ｐｅｘを取得する。
【００３８】
また、（２）式の吸気圧Ｐｉｎは、外部ＥＧＲなし時の吸気圧であり予め記憶されたマップから取得される。具体的には、ＥＣＵ５０には、吸気ＶＶＴ５６の角度と排気ＶＶＴ５８の角度との組み合わせ毎に、エンジン回転数と負荷率と吸気圧Ｐｉｎとの関係を定めたマップが予め記憶されている。ＥＣＵ５０は、吸気ＶＶＴ５６の角度（中央位置から進角又は遅角させた角度）と、排気ＶＶＴ５８の角度（中央位置から進角又は遅角させた角度）と、エンジン回転数と、負荷率とを入力パラメータとして、マップから吸気圧Ｐｉｎを取得する。
【００３９】
さらに、（２）式におけるＥＧＲバルブ３０の通路面積Ｓｅｇｒは（３）式に基づいて算出することができる。ＳｅｇｒはＥＧＲバルブ開度に相関するＥＧＲバルブ３０の通路面積の相関値である。同様にＷＧＶ３４、スロットルバルブ４４等の各時刻の開度も、現在位置と各アクチュエータの動作速度から算出し、上記マップの入力パラメータとする。
Ｓｅｇｒ＝現在の開度＋時間×ＥＧＲバルブ動作速度          …（３）
【００４０】
以上より（２）式に基づいて、ＥＧＲ量が現在のＥＧＲ量から目標ＥＧＲ量に変化するまでの間の各時刻におけるＥＧＲガス流量の相関値Ｇｅｇｒを算出することができる。このように将来のＥＧＲ量の変化過程を推定することができる。このＥＧＲ量の変化過程において、ＥＧＲガス流量の相関値Ｇｅｇｒが許容値（例えば、過渡運転となる前の定常運転におけるＥＧＲ量）を超える場合には、過渡的なＥＧＲ量変化を許容できないと判断することができる。
【００４１】
そこで、本実施形態のシステムでは、過渡運転時におけるＥＧＲ量の変化過程を（２）式に基づいて推定し、その変化過程におけるＥＧＲ量が許容値を超えると予想される場合に、ＥＧＲ量を減少させるアクチュエータを先に動作させることとする。一方、ＥＧＲ量が許容値を超えないと予想される場合には、各アクチュエータを同時に動作させることとする。
【００４２】
（制御ルーチン）
図４は、上述の動作を実現するために、ＥＣＵ５０が実行する制御ルーチンのフローチャートである。図４に示すルーチンでは、まず、ステップＳ１００において、運転条件に変化があるか否かが判定される。定常運転が継続している場合には、本ルーチンの処理は終了される。
【００４３】
一方、運転条件に変化があると判定された場合には、次に、現在のＥＧＲ量から目標ＥＧＲ量に変化するまでのＥＧＲ量の変化過程が推定される（ステップＳ１１０）。なお、目標ＥＧＲ量は運転条件に応じて設定され、ＥＧＲ量の変化過程は上述した推定方法により推定される。
【００４４】
次に、ＥＧＲ量の変化過程においてＥＧＲ量が許容値よりも大きくなるか否かが判定される（ステップＳ１２０）。許容値には、過渡運転となる前の定常運転におけるＥＧＲ量よりも大きい値であり、目標ＥＧＲ量よりも大きい値が設定される。変化過程におけるＥＧＲ量が許容値以下であると判定された場合には、本ルーチンの処理は終了される。その後、他のルーチンにおいて、運転条件に応じて動作量が設定された複数のアクチュエータの動作が同時に開始される。
【００４５】
一方、変化過程におけるＥＧＲ量が許容値よりも大きいと判定された場合には、まず、ＥＧＲ減少影響のあるアクチュエータを動作させる（ステップＳ１３０）。上述したように、ＥＣＵ５０は、アクチュエータの動作に関して優先順番を予め記憶しており、優先順番の早いアクチュエータを先に動作させる。
【００４６】
次に、ＥＧＲ量減少影響のあるアクチュエータが動作済みであるか否かが判定される（ステップＳ１４０）。動作済みでない場合には、動作完了を確認するまで待つ。
【００４７】
ステップＳ１４０において、ＥＧＲ量減少影響のあるアクチュエータが動作済みであると判定された場合には、その他のすべてのアクチュエータを動作させる（ステップＳ１５０）。その後、本ルーチンの処理は終了される。
【００４８】
以上説明したように、図４に示すルーチンによれば、過渡運転時におけるＥＧＲ量の変化過程を推定し、その変化過程におけるＥＧＲ量が許容値を超えると予想される場合には、ＥＧＲ量減少影響のあるアクチュエータを先に動作させる。そのため、ＥＧＲ量が過剰となることを抑制し、過剰なＥＧＲ量増加による燃焼不安定化を抑制することができる。また、ＥＧＲ量が許容値を超えないと予想される場合には、各アクチュエータを同時に動作させる。そのため、ＥＧＲ量が過剰となることなく、早期に目標ＥＧＲ量を達成することができる。
【００４９】
ところで、上述した実施の形態１のシステムにおける、ＥＧＲ量の変化過程の推定方法は、上述した推定方法に限定されるものではなく、他の推定方法に置き換えることとしても良い。
【００５０】
尚、上述した実施の形態１においては、ＷＧＶ３４が前記第４の発明における「ウェイストゲートバルブ」に、ＥＧＲバルブ３０が前記第４の発明における「ＥＧＲバルブ」に、スロットルバルブ４４が前記第４の発明における「スロットル」に、それぞれ相当している。また、ここでは、ＥＣＵ５０が、上記ステップＳ１１０の処理を実行することにより前記第３の発明における「推定手段」が、上記ステップＳ１２０の処理を実行することにより前記第３の発明における「判定手段」が、上記ステップＳ１２０およびステップＳ１５０の処理を実行することにより前記第３の発明における「アクチュエータ同時制御手段」が、上記ステップＳ１４０およびステップＳ１５０の処理を実行することにより前記第１の発明における「アクチュエータ順次制御手段」が、それぞれ実現されている。
【符号の説明】
【００５１】
１０  内燃機関
１２  インジェクタ
１６  吸気通路
１８  排気通路
２０  吸気バルブ
２２  排気バルブ
２４  ターボチャージャ
２４ａ  タービン
２４ｂ  コンプレッサ
２６  外部ＥＧＲ通路
３０  ＥＧＲバルブ
３０  ＥＧＲバルブ
３２  バイパス通路
３４  ＷＧＶ
３６  触媒
４０  エアフローメータ
４４  スロットルバルブ
４８  吸気圧力センサ
５２  クランク角センサ
５４  アクセル開度センサ
５６  吸気ＶＶＴ（ＩＮ−ＶＶＴ）
５８  排気ＶＶＴ（ＥＸ−ＶＶＴ）
【図１】
2012157108.tif 000003
【図２】
2012157108.tif 000004
【図３】
2012157108.tif 000005
【図４】
2012157108.tif 000006
【手続補正書】
【提出日】平成23年10月7日(2011.10.7)
【手続補正１】
【補正対象書類名】特許請求の範囲
【補正対象項目名】全文
【補正方法】変更
【補正の内容】
【特許請求の範囲】
【請求項１】
排気通路に設けられたタービンを有するターボチャージャと、
前記タービンをバイパスするバイパス通路を任意に開閉制御できるウェイストゲートバルブと、
前記タービン上流の排気通路と吸気通路とを接続するＥＧＲ通路を任意に開閉制御できるＥＧＲバルブと、
運転条件の変化に応じて、前記ウェイストゲートバルブ、前記ＥＧＲバルブ、及び、前記吸気通路に設けられたスロットルバルブを含む、ＥＧＲ量に影響する複数のアクチュエータの動作量を設定する設定手段と、
前記設定された複数のアクチュエータの動作量に応じて、前記複数のアクチュエータの動作が同時に開始した場合のＥＧＲ量の変化過程を、前記ウェイストゲートバルブの開閉条件に応じた背圧から吸気圧を減じた値に前記ＥＧＲバルブの通路面積を乗じて算出される各時刻のＥＧＲ量相関値に基づいて推定する推定手段と、
前記変化過程においてＥＧＲ量が許容値よりも大きくなる場合に判定条件が成立する判定手段と、
前記判定条件が成立しない場合に、前記複数のアクチュエータの動作を同時に開始させるアクチュエータ同時制御手段と、
前記判定条件が成立する場合に、ＥＧＲ量を減少させるアクチュエータの動作を完了させた後、ＥＧＲ量を増加させるアクチュエータの動作を開始させるアクチュエータ順次制御手段と、を備え、
を備えることを特徴とする内燃機関の制御装置。
【手続補正書】
【提出日】平成25年9月5日(2013.9.5)
【手続補正１】
【補正対象書類名】特許請求の範囲
【補正対象項目名】全文
【補正方法】変更
【補正の内容】
【特許請求の範囲】
【請求項１】
排気通路に設けられたタービンを有するターボチャージャと、
前記タービンをバイパスするバイパス通路を任意に開閉制御できるウェイストゲートバルブと、
前記タービン上流の排気通路と吸気通路とを接続するＥＧＲ通路を任意に開閉制御できるＥＧＲバルブと、
運転条件の変化に応じて、前記ウェイストゲートバルブ、前記ＥＧＲバルブ、及び、前記吸気通路に設けられたスロットルバルブを含む、ＥＧＲ量に影響する複数のアクチュエータの動作量を設定する設定手段と、
前記設定された複数のアクチュエータの動作量に応じて、前記複数のアクチュエータの動作が同時に開始した場合のＥＧＲ量の変化過程を、前記ウェイストゲートバルブの開閉条件に応じた背圧から吸気圧を減じた値に前記ＥＧＲバルブの通路面積を乗じて算出される各時刻のＥＧＲ量相関値に基づいて推定する推定手段と、
前記変化過程においてＥＧＲ量が許容値よりも大きくなる場合に判定条件が成立する判定手段と、
前記判定条件が成立しない場合に、前記複数のアクチュエータの動作を同時に開始させるアクチュエータ同時制御手段と、
前記判定条件が成立する場合に、ＥＧＲ量を減少させるアクチュエータの動作を完了させた後、ＥＧＲ量を増加させるアクチュエータの動作を開始させるアクチュエータ順次制御手段と、
を備えることを特徴とする内燃機関の制御装置。
【国際調査報告】
2012157108.tif 000007
2012157108.tif 000008